(57)【要約】【課題】装着者の体勢等に応じて組み立て手順を変更できる、パンツ型としても止着式としても使用できる紙おむつを提供する。【解決手段】装着者の胴回りを囲むように装着される胴回り部１０と、胴回り部１０の後身頃部分から股間部を通り胴回り部１０の前身頃部分まで延在する吸収性本体２０とを備え、吸収性本体２０の後端部は胴回り部１０の後身頃部分に連結されており、吸収性本体２０の前端部には、内面にメカニカルファスナーの雄材２５が設けらるとともに外面に雌材２６が設けられており、胴回り部１０は、製品幅方向において吸収性本体２０と対応する中間部１０ｃと、その両側にそれぞれ設けられたサイドフラップ部１１，１２とを有しており、各サイドフラップ部１１，１２の各々には、内面にメカニカルファスナーの雄材１５が設けらるとともに外面に雌材１６が設けられているパンツ型としても止着式としても使用できる紙おむつとする。【選択図】図１
2008055001.tif 000002
【特許請求の範囲】
【請求項１】
装着者の胴回りを囲むように装着される胴回り部と、胴回り部の後身頃部分から股間部を通り胴回り部の前身頃部分まで延在する吸収性本体とを備え、
前記吸収性本体の後端部は前記胴回り部の後身頃部分に連結されており、
前記吸収性本体の前端部には、両面にそれぞれ連結部が設けられており、
前記胴回り部は、製品幅方向において吸収性本体と対応する中間部と、その両側にそれぞれ設けられたサイドフラップ部とを有しており、
各前記サイドフラップ部には、両面にそれぞれ連結部が設けられており、
前記連結部のうち、製品内面側の連結部と製品外面側の連結部とが連結可能なように構成されている、
ことを特徴とする紙おむつ。
【請求項２】
前記製品内面側の連結部の全てにメカニカルファスナーの雄材が設けられるとともに、前記製品外面側の連結部の全てにメカニカルファスナーの雌材が設けられており、前記製品内面側の連結部に設けられた少なくとも一つのメカニカルファスナーの雄材を着脱自在に被覆する被覆シートを備えている、請求項１記載の紙おむつ。
【請求項３】
前記製品内面側の連結部の全てにメカニカルファスナーの雄材が設けられるとともに、前記製品外面側の連結部の全てにメカニカルファスナーの雌材が設けられており、前記吸収性本体の前端から、おむつ装着時に最内側に位置するメカニカルファスナーの雄材を着脱自在に被覆する被覆シートが延在されている、請求項１記載の紙おむつ。
【請求項４】
前記製品内面側の連結部の全てにメカニカルファスナーの雌材が設けられるとともに、前記製品外面側の連結部の全てにメカニカルファスナーの雄材が設けられており、前記製品外面側の連結部に設けられた少なくとも一つのメカニカルファスナーの雄材を着脱自在に被覆する被覆シートを備えている、請求項１記載の紙おむつ。
【請求項５】
前記製品内面側の連結部の全てにメカニカルファスナーの雌材が設けられるとともに、前記製品外面側の連結部の全てにメカニカルファスナーの雄材が設けられており、前記吸収性本体の前端から、おむつ装着時に最外側に位置するメカニカルファスナーの雄材を着脱自在に被覆する被覆シートが延在されている、請求項１記載の紙おむつ。
【請求項６】
前記サイドフラップ部が伸縮性を有する、請求項１〜５のいずれか１項に記載の紙おむつ。
【発明の詳細な説明】
【技術分野】
【０００１】
本発明は、様々な使用法が可能となる紙おむつに関するものである。
【背景技術】
【０００２】
パンツ型使い捨て紙おむつは、前身頃の両側部と後身頃の両側部とがそれぞれ接合されることにより、両側に接合部が形成されるとともに、ウエスト開口部および左右一対のレッグ開口部が形成されているものであり、装着者の両足をウエスト開口部に通してレッグ開口部に挿入することにより装着するものである。
これに対して、使用の際、背側および腹側が接合されていない状態で装着者にあてがい、背側の両側部に設けられた係止片の先端部を腹側外面に固定する、止着式あるいはテープ式と呼ばれるタイプもある。
また、特許文献１に示されるように、パンツ型としても止着式としても使用できる、兼用型ともいうべき紙おむつが提案されている。この紙おむつは、後背部と、この後背部から幅方向の両側へ延びる前帯部と、上記後背部から股下を通して着用者の前腹側へ折り返し可能な吸収性本体とを有し、胴回りに巻き付けられた前帯部と折り返された吸収性本体とを着用者の前腹側で止着した形態で着用可能なものである。
【特許文献１】特開２００５−２７０３５９号公報
【発明の開示】
【発明が解決しようとする課題】
【０００３】
しかしながら、上記特許文献１記載のものは、組み立て時の手順が一通りしかなく、装着者の体勢等に応じて組み立て手順を変更できないという問題点があった。
そこで、本発明の主たる課題は、装着者の体勢等に応じて組み立て手順を変更できるパンツ型としても止着式としても使用できる紙おむつを提供することにある。
【課題を解決するための手段】
【０００４】
上記課題を解決した本発明は次記のとおりである。
＜請求項１記載の発明＞
装着者の胴回りを囲むように装着される胴回り部と、胴回り部の後身頃部分から股間部を通り胴回り部の前身頃部分まで延在する吸収性本体とを備え、
前記吸収性本体の後端部は前記胴回り部の後身頃部分に連結されており、
前記吸収性本体の前端部には、両面にそれぞれ連結部が設けられており、
前記胴回り部は、製品幅方向において吸収性本体と対応する中間部と、その両側にそれぞれ設けられたサイドフラップ部とを有しており、
各前記サイドフラップ部には、両面にそれぞれ連結部が設けられており、
前記連結部のうち、製品内面側の連結部と製品外面側の連結部とが連結可能なように構成されている、
ことを特徴とする紙おむつ。
【０００５】
（作用効果）
本発明のポイントは、吸収性本体の前端部、サイドフラップ部の各々の両面にそれぞれ連結部が設けられており、かつ製品内面側の連結部と製品外面側の連結部とが連結可能なように構成されている点にある。このように構成されていることによって、様々な手順で組み立てることができ、装着者の体勢等に応じて容易な組み立て手順を採ることができるようになる。
例えば、一方のサイドフラップを腹側に持ち込み、その上に他方のサイドフラップを持ち込み、他方のサイドフラップ内面の連結部を一方のサイドフラップ外面の連結部に連結した後、さらにその上に吸収性本体の前側部分を持ち込み、その前端部の連結部を、他方のサイドフラップ外面の連結部および一方のサイドフラップ外面の連結部の少なくとも一方に連結する手順を採ることができる。この場合に、先に他方のサイドフラップを腹側に持ち込み、その上に一方のサイドフラップを持ち込み連結することもできる。
また、吸収性本体の前側部分を腹側に持ち込み、その上に一方のサイドフラップを持ち込み、一方のサイドフラップ内面の連結部を吸収性本体外面の連結部に連結した後、さらにその上に他方のサイドフラップを持ち込み、その内面の連結部を、一方のサイドフラップ外面の連結部および吸収性本体外面の連結部の少なくとも一方に連結する手順を採ることもできる。この場合に、一方のサイドフラップよりも先に他方のサイドフラップを腹側に持ち込んで吸収性本体に連結し、その上に一方のサイドフラップを持ち込んで連結することもできる。
【０００６】
＜請求項２記載の発明＞
前記製品内面側の連結部の全てにメカニカルファスナーの雄材が設けられるとともに、前記製品外面側の連結部の全てにメカニカルファスナーの雌材が設けられており、前記製品内面側の連結部に設けられた少なくとも一つのメカニカルファスナーの雄材を着脱自在に被覆する被覆シートを備えている、請求項１記載の紙おむつ。
【０００７】
（作用効果）
本発明における連結部にはメカニカルファスナーを好適に用いることができるが、メカニカルファスナーの雄材は感触が柔軟ではないため、製品内面側に用いると装着感を悪化させかねない。よって、製品内面側にメカニカルファスナーの雄材を用いる場合、本項記載のように別体の被覆シートで着脱自在に被覆しておくのが好ましい。これにより、雄材を連結に用いない場合には被覆シートで覆うことができ、装着感の悪化を回避することができる。
【０００８】
＜請求項３記載の発明＞
前記製品内面側の連結部の全てにメカニカルファスナーの雄材が設けられるとともに、前記製品外面側の連結部の全てにメカニカルファスナーの雌材が設けられており、前記吸収性本体の前端から、おむつ装着時に最内側に位置するメカニカルファスナーの雄材を着脱自在に被覆する被覆シートが延在されている、請求項１記載の紙おむつ。
【０００９】
（作用効果）
また、メカニカルファスナーの雄材を製品内面側に設ける場合において、上述のように別体の被覆シートを用いるのではなく、吸収性本体の前端から延在する被覆シートを用いて着脱自在に被覆するように構成するのも好ましい。
【００１０】
＜請求項４記載の発明＞
前記製品内面側の連結部の全てにメカニカルファスナーの雌材が設けられるとともに、前記製品外面側の連結部の全てにメカニカルファスナーの雄材が設けられており、前記製品外面側の連結部に設けられた少なくとも一つのメカニカルファスナーの雄材を着脱自在に被覆する被覆シートを備えている、請求項１記載の紙おむつ。
【００１１】
（作用効果）
さらに、上述のように被覆シートを用いて製品内面側に設けられたメカニカルファスナーの雄材を被覆するのではなく、発想を変えて、製品内面側にメカニカルファスナーの雌材を設け、製品外面側に雄材を設けることでも装着感の悪化を回避することができる。しかし、単にそれだけであると、製品外面に露出する雄材が、上に着用する衣服と係合し、脱衣に支障をきたしたり、衣服の布地を傷めたりするおそれがある。よって、本項記載のように被覆シートを備えることにより、必要に応じて、製品外面に露出するメカニカルファスナーの雄材を被覆できるように構成するのは好ましい。これにより、製品外面に接触する衣服との係合を防止できるようになる。
【００１２】
＜請求項５記載の発明＞
前記製品内面側の連結部の全てにメカニカルファスナーの雌材が設けられるとともに、前記製品外面側の連結部の全てにメカニカルファスナーの雄材が設けられており、前記吸収性本体の前端から、おむつ装着時に最外側に位置するメカニカルファスナーの雄材を着脱自在に被覆する被覆シートが延在されている、請求項１記載の紙おむつ。
【００１３】
（作用効果）
また、メカニカルファスナーの雄材を製品外面側に設ける場合においても、別体の被覆シートを用いるのではなく、吸収性本体の前端から延在する被覆シートを用いて着脱自在に被覆するように構成することができる。
【００１４】
＜請求項６記載の発明＞
前記サイドフラップ部が伸縮性を有する、請求項１〜５のいずれか１項に記載の紙おむつ。
【００１５】
（作用効果）
サイドフラップ部に伸縮性を付与し、伸長時と収縮時の寸法差を持たせれば、各連結部を連結した後で装着するという、パンツ型としての使用も可能となる。
【発明の効果】
【００１６】
以上のとおり本発明によれば、装着者の体勢等に応じて組み立て手順を変更できる等の利点がもたらされる。
【発明を実施するための最良の形態】
【００１７】
以下、本発明の実施形態について、図面を参照しながら詳細に説明する。
図１は、パンツ型としても止着式としても使用できる紙おむつの展開状態の内面側平面図であり、図２は、展開状態の外面側平面図であり、図１１は装着状態またはパンツ状態の正面図である。本実施形態の紙おむつは、装着者の胴回りを囲むように装着される胴回り部１０と、胴回り部の後身頃部分から股間部を通り胴回り部の前身頃部分まで延在する吸収性本体２０とから構成されている。
【００１８】
吸収性本体２０は、製品の前後方向を長手とする長方形をなしており、装着者の腹部、股間部および臀部を覆うように、製品の幅方向中央に沿って設けられている。吸収性本体２０は、排泄物を受け止めて液分を吸収保持するものであり、図３〜図５に示されるように、身体に接触する使用面をなす液透過性トップシート２１と、液不透過性シート２３と、これらの間に介在された吸収体２２とを有し、周縁部においてトップシート２１および液不透過性シート２３がホットメルト接着等により接合された構造を有している。
【００１９】
トップシート２１は、不織布、透液開口を有するフィルム、ネットシートなどから形成することができ、液不透過性シート２３は、ポリエチレンシート等のプラスチック製シートなどから形成することができる。液不透過性シート２３の外面には撥水性不織布等の不織布２４が張り合わせられている。吸収体２２としては、綿状パルプ等のように短繊維を積繊したものの他、フィラメントの集合体からなるもの等も使用できる。フィラメントの集合体は、セルロースアセテート等のトウ（繊維束）を開繊することにより形成することができる。吸収体２２には、必要に応じて高吸収性ポリマー（ＳＡＰ）を含有させたり、クレープ紙等により包んだりすることができる。
【００２０】
さらに、吸収性本体２０の幅方向両側部には、装着時においてトップシート２１に対して起立するバリヤーカフス３０，３０がそれぞれ設けられている。より詳細には、吸収性本体２０の両側部における長手方向全体にわたり、帯状をなすバリヤーシート３１の幅方向外側の縁部３１ａがホットメルト接着等によりトップシート２１表面に固定され、幅方向中央側の部分３１ｂは、吸収性本体２０の前後端部ではホットメルト接着等によりトップシート２１表面に固定され、長手方向中間部では非固定とされている。また、この非固定部分３１ｂは、先端側部分を折り返して基端側部分に張り合わせることにより二重構造とされ、この二重構造部分のシート間に、糸ゴム等の細長状弾性伸縮部材３２が伸張状態で長手方向に沿って挟持固定されている。使用時には、この弾性伸縮部材３２の収縮力によりバリヤーシート３１の非固定部分３１ｂがトップシート２１から離間するように起立し、その先端部が装着者の脚回りに密着する。その結果、トップシート２１上を伝って横方向に移動する排泄物が阻止され、横漏れが防止されるようになる。バリヤーシート３１としては撥水性不織布を好適に用いることができる。
【００２１】
吸収性本体２０の後端部２０Ｂは、ホットメルト接着等により胴回り部１０の後身頃部分の内面に着脱不能に固定される。一方、吸収性本体２０の前端部の内面には、幅方向の略全体にわたりメカニカルファスナーの雄材２５がホットメルト接着等により貼り付けられており、外面には幅方向の略全体にわたりメカニカルファスナーの雌材２６がホットメルト接着等により貼り付けられている。メカニカルファスナーの雄材２５としては、シート表面の全体に茸状、Ｊ字状等のフックが多数配列されたものを用いることができる。また、雌材２６としては、シート表面の全体に、雄材のフックが絡まるループが多数形成されたものを用いることができる。また、雄材が係止される部分を不織布により形成しておくことにより、この不織布を雌材として利用することもできる。この場合、雌材となる不織布部分にエンボス加工を施し、補強することができる。
【００２２】
胴回り部１０は、装着者の胴が通されるウエスト開口部から装着者の脚が通されるレッグ開口部までの部分であり、装着者の胴回りよりもある程度長く形成された帯状部材である。胴回り部１０は、製品幅方向において吸収性本体２０と対応する中間部１０ｃと、その両側の第１及び第２サイドフラップ部１１，１２とに分けることができる。さらに各サイドフラップ部１１，１２は、基端側の伸縮部分１１ｘ、１２ｘと先端側の連結領域１１ｆ，１２ｆとに分けることができる。伸縮部分１１ｘ，１２ｘは製品両側において胴回り方向の伸縮性をもたらす部分であり、連結領域１１ｆ，１２ｆは、パンツ型に組み立てる際に連結される部分である。
【００２３】
本実施形態の胴回り部１０は、図６〜図９の各断面図から理解されるように、胴回り部全体にわたる本体シート１３を基本とし、部材の付加により各部に機能を持たせたものである。より詳細には、本体シート１３は、複数枚の不織布１３ａ，１３ｂを重ね合わせてホットメルト接着剤等により固定されており、これら不織布１３ａ，１３ｂ間には、胴回り部の中間部１０ｃおよび伸縮部分１１ｘ，１２ｘにわたり、弾性伸縮部材１４が幅方向に沿う伸張状態で挟持固定されている。
【００２４】
特に図示形態の胴回り部では、上端縁（ウエスト開口部の縁となる）から吸収性本体２０の上端近傍までの上下方向範囲として定まるウエスト部Ｗでは、胴回り部の中間部１０ｃおよび伸縮部分１１ｘ，１２ｘの胴回り方向全体にわたり、弾性伸縮部材１４が連続的に設けられているのに対して、ウエスト部Ｗよりも下側の部分として定まる腰下部Ｕでは、弾性伸縮部材１４は、吸収性本体２０と重なる幅方向中間部１０ｃを除いて、その両側のみに伸縮力が作用するように設けられている。この両側のみに伸縮力が作用する形態には、両側にのみ弾性伸縮部材１４が存在する形態の他、胴回り部１０の中間部１０ｃおよび伸縮部分１１ｘ，１２ｘの胴回り方向全体にわたり弾性伸縮部材１４が存在するものの、中間部１０ｃでは弾性伸縮部材１４が切断されており、伸縮力が作用しないように構成されているものも含まれる。
【００２５】
弾性伸縮部材１４としては、糸ゴムや弾性発泡体の帯状物、フィルム状の弾性体、ネット状の弾性体等を使用できるが、多数の糸ゴムを胴回り方向に沿って複数本平行に設けるのが好ましい。具体的には、太さ３００〜８４０ｄｔｅｘ程度の糸ゴムを、ウエスト部には４〜６ｍｍの間隔で５〜７本程度、また腰下部には３〜８ｍｍの間隔で１０〜３０本程度、それぞれ伸張率２００〜４００％程度で固定するのが好ましい。
【００２６】
第１及び第２のサイドフラップ部１１，１２における各連結領域１１ｆ、１２ｆにおいては、本体シート１３の内面にメカニカルファスナーの雄材１５が上下方向全体にわたりホットメルト接着等により貼り付けられ、外面にはメカニカルファスナーの雌材１６が上下方向全体にわたりホットメルト接着等により貼り付けられている。雌材１６としては、シート表面の全体に、雄材のフックが絡まるループが多数形成されたものを用いることができる。また、雄材が係止される部分を不織布により形成しておくことにより、この不織布を雌材として利用することもできる。この場合、雌材となる不織布部分にエンボス加工を施し、補強することができる。
【００２７】
なお、本実施形態では、第１のサイドフラップ１１における連結領域１１ｆの胴回り方向の長さが、吸収性本体２０の幅よりも長く形成されており、また第２のサイドフラップ１２の胴回り方向の長さよりも長く形成されている。これは、組み立てに際して、最初に第１のサイドフラップ１１を腹側に持ち込む手順を主たる手順として想定したものであり、他の手順でも組み立てることはできるが、主たる手順で行った際により適切な装着が可能となるものである。しかし、本発明では、図１８及び図１９に示すように、第１及び第２のサイドフラップ部１１，１２を左右対称に形成することも可能である。左右対称の場合、どちらからでも装着しやすい、あるいはどちらからでも装着できることが分かり易いといった利点がもたらされる。一方、左右非対称の場合には、特定の対象者や特定の使用方法の場合に特に使い易い構造、例えば多数派である右利きの人にとってより使い易い構造とできる利点がある。
【００２８】
また、本実施形態では、各サイドフラップ部１１，１２の下縁部は、吸収性本体２０の近傍において吸収性本体２０に近づくにつれて徐々に股間側に向きが変わるような曲線状をなしている。これにより、各サイドフラップ部１１，１２の下縁部と吸収性本体２０の側縁との交差部近傍が、装着者の脚回りにフィットするようになる。さらに、各サイドフラップ部１１，１２の曲線状部分に沿って、糸ゴム等の細長状弾性伸縮部材１７が伸張状態で固定されるとともに、吸収性本体２０の両側部におけるトップシート２１と液不透過性シート２３との間に、前後方向に沿って少なくともレッグ開口部ＬＯの縁を形成する部分、つまり図示形態では胴回り部１０の前身頃部分との交差位置から胴回り部１０の後身頃部分との交差位置までの部分に、糸ゴム等の細長状弾性伸縮部材２７が伸張状態で固定されている。これにより、レッグ開口部ＬＯの縁部全体が脚回り方向に伸縮するようになる。
【００２９】
他方、かくして構成されたパンツ型としても止着式としても使用できる紙おむつは、次のように組み立てることができ、展開状態で身体にあてがい各部を連結する使用法だけでなく、予めパンツ型に形成したものに両足を通して履く使用法も可能である。
【００３０】
すなわち、前者の使用法においては、胴回り部における吸収性本体２０の幅方向中央を背側の腰部における左右方向中央に合わせた後、例えば図１０に示されるように、先ず、第１のサイドフラップ部１１を腹側に回り込ませ、その外面の雌材１６の胴回り方向中央を腹部左右方向中央に合わせて押さえた後、第２のサイドフラップ部１２を腹側に回り込ませ、その内面の雄材１５を第１のサイドフラップ部１１の外面の雌材１６に係止する。これにより、第１及び第２のサイドフラップ１１，１２が先端部で連結されて、環状の胴回り部およびウエスト開口部ＷＯが形成されるとともに、その腹部の左右方向中央の外面に、第１サイドフラップ部１１外面の雌材１６および第２サイドフラップ部１２外面の雌材１６からなる一体的な雌材部分が形成される。しかる後、吸収性本体２０を装着者の股間部を通して腹側に回り込ませ、その前端部内面に設けられた雄材２５をこの雌材部分１６，１６に係止する。これにより、図１１に示されるように、レッグ開口部ＬＯが形成されるとともに、吸収性本体２０により股間部およびその前後両側が覆われ、装着が完了する。
【００３１】
予めパンツ型に形成する使用法でも、基本的に同様である。すなわち、図１０に示されるように、先ず、第１のサイドフラップ部１１を吸収性本体２０側に折り返し、その外面の雌材１６の胴回り方向中央を吸収性本体２０の幅方向中央に合わせた後、第２のサイドフラップ部１２を吸収性本体２０側に折り返し、その内面の雄材１５を第１のサイドフラップ部１１の外面の雌材１６に係止する。この際、伸縮部分が左右対称となるように位置決めを行う。これにより、第１及び第２のサイドフラップ１１，１２が先端部で連結されて、環状の胴回り部およびウエスト開口部ＷＯが形成されるとともに、その前身頃の胴周り方向中央の外面に、第１サイドフラップ部１１外面の雌材１６および第２サイドフラップ部１２外面の雌材１６からなる一体的な雌材部分が形成される。しかる後、吸収性本体２０を股間部を通して前身頃側に回り込ませ、その前端部内面に設けられた雄材２５をこの雌材部分に係止する。
【００３２】
また、上記手順において第２のサイドフラップを先に前身頃側に持ち込み、その上に第１のサイドフラップ部１１を持ち込み、その内面の雄材１５を第２のサイドフラップ部１２の外面の雌材１６に係止することもできる。
【００３３】
さらにまた、図１２に示すように、最初に吸収性本体２０の前側部分を前身頃側に持ち込み、その上に図１３に示すように第１のサイドフラップ１１を持ち込み、第１のサイドフラップ１１内面の雄材１５を吸収性本体２０外面の雌材２６に係止した後、さらにその上に第２のサイドフラップ１２を持ち込み、その内面の雄材１５を、第１のサイドフラップ１１外面の雌材１６に係止する手順を採ることもできる。
【００３４】
反対に、第１のサイドフラップ１１よりも先に第２のサイドフラップ１２を持ち込み、その内面の雄材１５を吸収性本体２０外面の雌材２６に係止した後、さらにその上に第１のサイドフラップ１１を持ち込み、その内面の雄材１５を、第２サイドフラップ部１２外面の雌材１６および吸収性本体２０外面の雌材２６からなる一体的な雌材部分に係止する手順を採ることもできる。
【００３５】
上記例では、製品内面側の連結部の全てにメカニカルファスナーの雄材が設けられている。したがって、上記いずれの手順で組み立てても、いずれかのメカニカルファスナーの雄材が身体に接触するため装着感が悪化するおそれがある。このため、メカニカルファスナーの雄材として柔軟な感触のものを用いるのが好ましい。
【００３６】
一つの好ましい形態として、図１４〜図１６に示すように、製品内面側に設けられたメカニカルファスナーの雄材２５，１５の一部または全部を被覆シート４０により着脱自在に被覆することを提案する。被覆シート４０としては、前述の雌材や不織布を用いて形成することができる。使用者は必要に応じてこのような被覆シート４０を貼り付けることにより、メカニカルファスナーによる装着感の悪化を回避することができる。
【００３７】
また、別体の被覆シート４０を用いるのではなく、図１７に示すように、吸収性本体２０の前端から被覆シート２４ｘを延在させ、この被覆シート２４ｘを内面側に折り返しておむつ装着時に最内側に位置する雄材を着脱自在に被覆するのも好ましい。図示形態の被覆シート２４ｘは、吸収性本体２０の外面を形成する不織布２４を延長することにより形成しているが、雌材等を別途設けることもできる。
【００３８】
さらに、発想を変えて、製品内面側に設けるものを全て雌材とし、製品外面側に設けるものを全て雄材とすることも提案される。この場合、製品外面側に設けられた雄材の一部または全部を、別体の被覆シートで着脱自在に被覆するように構成するのが望ましい。これにより、装着感の悪化を回避できるとともに、製品外面に露出するメカニカルファスナーの雄材を被覆シートで被覆でき、製品外面に接触する衣服との係合を防止できるようになる。この場合においても、雄材を製品内面側に設ける場合と同様に、吸収性本体２０の前端から被覆シートを延在させ、この被覆シートを外面側に折り返しておむつ装着時に最外側に位置する雄材を着脱自在に被覆するように構成することができる。
【００３９】
（その他）
（イ）上記例における雄材と雌材とを反対に設ける、つまり雄材が設けられている部分に雌材を設け、雌材が設けられている部分に雄材を設けることができる。
（ロ）上記例では、連結部分の連結手段としてメカニカルテープを用いているが、これに代えて粘着材層等、他の手段を用いることもできる。粘着材を用いる場合、連結部分の一方に粘着剤層を設け、他方は本体シートそのままでも良いが、粘着剤が剥離及び再接着可能なように粘着する樹脂フィルムを設けるのが好ましい。
【産業上の利用可能性】
【００４０】
本発明は、紙おむつに適用できるものである。
【図面の簡単な説明】
【００４１】
【図１】パンツ型としても止着式としても使用できる紙おむつの展開状態の内面側平面図である。
【図２】パンツ型としても止着式としても使用できる紙おむつの展開状態の外面側平面図である。
【図３】図１の３−３断面図である。
【図４】図１の４−４断面図である。
【図５】図１の５−５断面図である。
【図６】図１の６−６断面図である。
【図７】図１の７−７断面図である。
【図８】図１の８−８断面図である。
【図９】図１の９−９断面図である。
【図１０】組み立て途中の正面図である。
【図１１】パンツ型としても止着式としても使用できる紙おむつの装着状態またはパンツ状態の正面図である。
【図１２】他の組み立て途中の正面図である。
【図１３】他の組み立て途中の正面図である。
【図１４】他の形態における、図１の７−７相当の断面図である。
【図１５】他の形態における、図１の９−９相当の断面図である。
【図１６】他の形態における、図１の５−５相当の断面図である。
【図１７】別の形態における、図１の５−５相当の断面図である。
【図１８】別の形態の紙おむつにおける展開状態の内面側平面図である。
【図１９】別の形態の紙おむつにおける展開状態の外面側平面図である。
【符号の説明】
【００４２】
１０…胴回り部、１４…弾性伸縮部材、１５…雄材、１６…雌材、１７…弾性伸縮部材、２０…吸収性本体、２１…トップシート、２２…吸収体、２３…液不透過性シート、２４…不織布、２５…雄材、２６…雌材、２７…弾性伸縮部材。
【図１】
2008055001.tif 000003
【図２】
2008055001.tif 000004
【図３】
2008055001.tif 000005
【図４】
2008055001.tif 000006
【図５】
2008055001.tif 000007
【図６】
2008055001.tif 000008
【図７】
2008055001.tif 000009
【図８】
2008055001.tif 000010
【図９】
2008055001.tif 000011
【図１０】
2008055001.tif 000012
【図１１】
2008055001.tif 000013
【図１２】
2008055001.tif 000014
【図１３】
2008055001.tif 000015
【図１４】
2008055001.tif 000016
【図１５】
2008055001.tif 000017
【図１６】
2008055001.tif 000018
【図１７】
2008055001.tif 000019
【図１８】
2008055001.tif 000020
【図１９】
2008055001.tif 000021